(57)【要約】【課題】  本発明は、既存コンクリート基礎および周辺部材、地盤等に対する各種工事をできるだけせずに、既存コンクリート基礎上にアンカーボルトを簡単な施工で設置することができる基礎構造と、アンカーボルトユニットと、施工方法と、を提供することを目的とする。【解決手段】  本発明に係る基礎構造の代表的な構成は、コンクリート基礎１と、コンクリート基礎１のアンカーボルト２３が必要な部分１ａに固定されたアンカーボルトユニット２と、を有し、アンカーボルトユニット２は、アンカーボルト２３を上方に起立固定していることを特徴とする。【選択図】図１
2008063751.tif 000002
【特許請求の範囲】
【請求項１】
コンクリート基礎と、
該コンクリート基礎のアンカーボルトが必要な部分に固定されたアンカーボルトユニットと、を有し、
該アンカーボルトユニットは、アンカーボルトを上方に起立固定していることを特徴とする基礎構造。
【請求項２】
前記アンカーボルトユニットは、前記コンクリート基礎のアンカーボルトが必要な部分の上面を覆うアンカーボルト定着板と、前記コンクリート基礎のアンカーボルトが必要な部分の両側面を覆う基礎定着板と、を有し、
前記アンカーボルト定着板は、アンカーボルトを上方に起立固定しており、
前記基礎定着板は、前記アンカーボルト定着板の両側端から垂下していることを特徴とする請求項１に記載の基礎構造。
【請求項３】
前記基礎定着板が前記コンクリート基礎に固定されたことを特徴とする請求項１又は請求項２に記載の基礎構造。
【請求項４】
前記コンクリート基礎の上面に、前記アンカーボルト定着板を載せる凹部を有し、前記コンクリート基礎の上面と前記アンカーボルト定着板の上面がフラットになることを特徴とする請求項１乃至請求項３のいずれか１項に記載の基礎構造。
【請求項５】
コンクリート基礎のアンカーボルトが必要な部分に固定するアンカーボルトユニットであって、
前記コンクリート基礎のアンカーボルトが必要な部分の上面を覆うアンカーボルト定着板と、
前記コンクリート基礎のアンカーボルトが必要な部分の両側面を覆う基礎定着板と、を有し、
前記アンカーボルト定着板はアンカーボルトを上方に起立固定しており、
前記基礎定着板は前記アンカーボルト定着板の両側端から垂下していることを特徴とするアンカーボルトユニット。
【請求項６】
前記基礎定着板は、複数のボルト貫通孔を有し、
前記複数のボルト貫通孔は、前記アンカーボルトユニットを前記コンクリート基礎に取り付けた際に前記コンクリート基礎の最上部の主筋より下になる位置に穿孔されていることを特徴とする請求項５に記載のアンカーボルトユニット。
【請求項７】
請求項５又は請求項６に記載のアンカーボルトユニットをコンクリート基礎に固定する施工方法であって、
前記コンクリート基礎の上面にアンカーボルト定着板を載せる凹部を形成する段階と、
前記コンクリート基礎の側面かつ、前記コンクリート基礎の最上部の主筋より下になる位置にボルト孔を穿孔する段階と、
前記アンカーボルト定着板が前記凹部に載るように前記アンカーボルトユニットを前記コンクリート基礎のアンカーボルトが必要な部分に載置する段階と、
前記一方の基礎定着板のボルト貫通孔、前記コンクリート基礎のボルト孔、前記他方の基礎定着板のボルト貫通孔に、貫通ボルトを通して前記アンカーボルトユニットを前記コンクリート基礎に固定する段階と、
前記ボルト貫通孔と前記貫通ボルトの間に固定材を充填する段階と、を有することを特徴とする施工方法。
【発明の詳細な説明】
【技術分野】
【０００１】
建物の改築に際し、新たな上部構造（土台、柱や壁、筋交いなど）を既存のコンクリート基礎に止めつけるためのアンカーボルトが固定されたアンカーボルトユニットと、該アンカーボルトユニットを前記コンクリート基礎に取り付けた基礎構造と、前記アンカーボルトユニットを前記コンクリート基礎に取り付ける施工方法と、に関するものである。
【背景技術】
【０００２】
建物の改築に際し、新たな上部構造（土台、柱や壁、筋交いなど）を既存のコンクリート基礎に止めつけるための、従来のアンカーボルトと同等の引き抜き耐力を確保しえる後施工アンカーボルトがある。
【０００３】
アンカーボルトを後施工する方法として、例えば、既存基礎に沿い新たに打設したコンクリートにアンカーボルトを埋め込む方法（特許文献２）が提案されている。また、既存のコンクリート基礎に天端面から下端面まで形成された竪穴に、アンカーボルトを挿通する、もしくは天端面から途中位置まで形成された縦穴に挿入する方法（特許文献２）が提案されている。
【０００４】
【特許文献１】特開２００２−３５７００５号公報
【特許文献２】特開２００５−２９９１２９号公報
【発明の開示】
【発明が解決しようとする課題】
【０００５】
しかしながら、上記特許文献１の方法では、当然新たなコンクリート基礎を打設しなければならず、コンクリート基礎中には配筋をもする必要が有り、大掛かりな工事が必要となりコストがかかる。また当然、基礎を打設する場所の土を掘削しておく必要もある。また、既存の基礎に沿って新たな基礎を作るため、新たなアンカーボルトは既存の基礎上からずれて配置される。そのため、上部構造（柱、土台や壁、筋交い等）の設置のために余分な部品が必要で、施工工数的にもコスト的にも負担が大きい。
【０００６】
また、上記特許文献２の方法では、竪穴が長いため精度良く形成するのに大変高度な技術が必要である。また、基礎の表面近くに竪穴を形成することはコンクリートのかぶり厚さが小さくなるために、ほとんど不可能である。複数本のアンカーボルトを近い位置で必要な場合は、近い位置で複数の竪穴を限られた場所に形成しなければならず、技術的にも大変難しい。
【０００７】
そこで本発明は、既存コンクリート基礎および周辺部材、地盤等に対する各種工事をできるだけせずに、既存コンクリート基礎の上面にアンカーボルトを簡単な施工で正確に設置することができる基礎構造と、アンカーボルトユニットと、施工方法と、を提供することを目的とする。
【課題を解決するための手段】
【０００８】
（１）上記課題を解決するために本発明に係る基礎構造の第一の構成は、コンクリート基礎と、該コンクリート基礎のアンカーボルトが必要な部分に固定されたアンカーボルトユニットと、を有し、該アンカーボルトユニットは、アンカーボルトを上方に起立固定していることを特徴とする。
【０００９】
（２）本発明に係る基礎構造の第二の構成は、前記アンカーボルトユニットは、前記コンクリート基礎のアンカーボルトが必要な部分の上面を覆うアンカーボルト定着板と、前記コンクリート基礎のアンカーボルトが必要な部分の両側面を覆う基礎定着板と、を有し、前記アンカーボルト定着板は、アンカーボルトを上方に起立固定しており、前記基礎定着板は、前記アンカーボルト定着板の両側端から垂下していることを特徴とする。
【００１０】
（３）本発明に係る基礎構造の第三の構成は、前記基礎定着板が前記コンクリート基礎に固定されたことを特徴とする。
【００１１】
（４）本発明に係る基礎構造の第四の構成は、前記コンクリート基礎の上面に、前記アンカーボルト定着板を載せる凹部を有し、前記コンクリート基礎の上面と前記アンカーボルト定着板の上面がフラットになることを特徴とする。
【００１２】
（１）本発明に係るアンカーボルトユニットの第一の構成は、前記コンクリート基礎のアンカーボルトが必要な部分に固定するアンカーボルトユニットであって、コンクリート基礎のアンカーボルトが必要な部分の上面を覆うアンカーボルト定着板と、前記コンクリート基礎のアンカーボルトが必要な部分の両側面を覆う基礎定着板と、を有し、前記アンカーボルト定着板はアンカーボルトを上方に起立固定しており、前記基礎定着板は前記アンカーボルト定着板の両側端から垂下していることを特徴とする。
【００１３】
（２）本発明に係るアンカーボルトユニットの第二の構成は、前記基礎定着板は、複数のボルト貫通孔を有し、前記複数のボルト貫通孔は、前記アンカーボルトユニットを前記コンクリート基礎に取り付けた際に前記コンクリート基礎の最上部の主筋より下になる位置に穿孔されていることを特徴とする。
【００１４】
（１）本発明に係る施工方法の第一の構成は、第一又は第二の構成のアンカーボルトユニットをコンクリート基礎に固定する施工方法であって、前記コンクリート基礎の上面にアンカーボルト定着板を載せる凹部を形成する段階と、前記コンクリート基礎の側面かつ、前記コンクリート基礎の最上部の主筋より下になる位置にボルト孔を穿孔する段階と、前記アンカーボルト定着板が前記凹部に載るように前記アンカーボルトユニットを前記コンクリート基礎のアンカーボルトが必要な部分に載置する段階と、前記一方の基礎定着板のボルト貫通孔、前記コンクリート基礎のボルト孔、前記他方の基礎定着板のボルト貫通孔に、貫通ボルトを通して前記アンカーボルトユニットを前記コンクリート基礎に固定する段階と、前記ボルト貫通孔と前記貫通ボルトの間に固定材を充填する段階と、を有することを特徴とする。
【発明の効果】
【００１５】
（１）第一の構成の基礎構造によれば、新たなコンクリート基礎を作る必要が無く、また高度な技術を必要とするコンクリート基礎に竪穴を形成する工程の必要も無く、安価かつ簡易に施工が可能である。
【００１６】
（２）第二の構成の基礎構造、（１）第一の構成のアンカーボルトユニットによれば、アンカーボルトユニットに設置するアンカーボルトは、あらかじめ所定の本数をアンカーボルト定着板の所定の位置に固定する。アンカーボルトはアンカーボルト定着板に制約無く配置することが出来るので、コンクリート基礎にそって複数列のアンカーボルトをコンクリート基礎のかぶり厚さの大小にかかわらず容易に設置できる。
【００１７】
また、アンカーボルト定着板をコンクリート基礎の上面に、基礎定着板をコンクリート基礎の側面に面着できるので、アンカーボルトユニットを安定した状態でコンクリート基礎に載置し、正確に取付施工できる。
【００１８】
（３）第三の構成の基礎構造によれば、アンカーボルトユニットの２枚の基礎定着板をコンクリート基礎の両側面に面着できるので、ボルトにて貫通固定しやすい。
【００１９】
（４）第四の構成の基礎構造によれば、コンクリート基礎の上面にアンカーボルト定着板が突出せず、アンカーボルト定着板の上面を既存のコンクリート基礎の上面とレベルを合わせることが出来るので、上部構造部材（柱材など）の寸法を既存の上部構造部材と合わせることが出来て便利である。
【００２０】
（２）第二の構成のアンカーボルトユニットによれば、大地震発生時にコンクリート基礎が壊れにくく、アンカーボルトが負担する上部構造からの引き抜き力及びせん断力に対抗できるようにアンカーボルトユニットをコンクリート基礎に固定できる。
【００２１】
（１）本発明の施工方法によれば、上記すべての効果を発揮できる。
【発明を実施するための最良の形態】
【００２２】
[第一実施形態]
本発明に係る基礎構造、アンカーボルトユニット及び施工方法の第一実施形態について、図を用いて説明する。図１は本実施形態に係る基礎構造の斜視図である。図２は基礎構造の正面図、断面図である。図３はアンカーボルトユニットの斜視図である。図４は施工方法の説明図である。
【００２３】
（基礎構造Ａ）
図１、図２に示すように、本実施形態の基礎構造Ａは、コンクリート基礎１と、コンクリート基礎１のアンカーボルトが必要な部分１ａに固定されたアンカーボルトユニット２と、を有している。
【００２４】
図３に示すように、アンカーボルトユニット２は、コンクリート基礎１のアンカーボルトが必要な部分１ａの上面を覆うアンカーボルト２３が固定されたアンカーボルト定着板２１と、コンクリート基礎１のアンカーボルトが必要な部分１ａの両側面を覆う基礎定着板２２と、を有している。
【００２５】
コンクリート基礎１は、既存のコンクリート基礎を用いる。コンクリート基礎１は、フーチング部１１と立上部１２とを有する断面凸状に形成されており、立上部１２の途中まで地面に埋められている。立上部１２の内部には、複数本の主筋１２ａがコンクリート基礎１の長手方向に水平に入っている。
【００２６】
アンカーボルト定着板２１は、アンカーボルト２３を上方に起立固定している。アンカーボルト２３は、あらかじめ所定の本数をアンカーボルト定着板２１の所定の位置に溶接又はボルト固定されている。
【００２７】
アンカーボルト２３はアンカーボルト定着板２１に制約無く配置することが出来るので、基礎にそって複数列のアンカーボルト２３を基礎のかぶり厚さの大小にかかわらず容易に設置できる。
【００２８】
また、アンカーボルトユニット２のアンカーボルト定着板２１はコンクリート基礎１の上面に、基礎定着板２２はコンクリート基礎１の側面に面着できるので、アンカーボルトユニット２を安定した状態でコンクリート基礎１に載置し、正確な取付施工をすることができる。
【００２９】
上部構造（柱脚３、柱４）からの引き抜き力及びせん断力により、アンカーボルト２３がアンカーボルト定着板２１から離れないように溶接又はボルト固定している。
【００３０】
基礎定着板２２は、アンカーボルト定着板２１の両側端から垂下している。基礎定着板２２はコンクリート基礎１に固定されている。
【００３１】
アンカーボルトユニット２の上部には、柱脚３を介して柱４が立てられる。柱脚３は４本のアンカーボルト２３によってアンカーボルト定着板２１の上にボルト固定されている。柱４は柱脚３に溶接されている。
【００３２】
コンクリート基礎１の上面に、アンカーボルト定着板２１を載せる凹部１ｂが形成されている。凹部１ｂにアンカーボルト定着板２１を載せた状態で、コンクリート基礎１の上面とアンカーボルト定着板２１の上面がフラットになる。なお、アンカーボルト２３をボルト固定した場合には、基礎定着板２２の裏面に出たボルトの高さ分凹部１ｂを深く形成する必要がある。
【００３３】
これにより、コンクリート基礎１の上面にアンカーボルト定着板２１が突出せず、アンカーボルト定着板２１の上面を既存のコンクリート基礎の上面とレベルを合わせることが出来るので、上部構造部材（柱材など）の寸法を既存の上部構造部材と合わせることが出来て便利である。
【００３４】
基礎定着板２２の下端は、地面より上になっている。これにより、土を掘削する必要がなく、簡単な施工で設置できる。
【００３５】
基礎定着板２２は、複数のボルト貫通孔２２ａを有している。ボルト貫通孔２２ａは、アンカーボルトユニット２をコンクリート基礎１に取り付けた際にコンクリート基礎１の最上部の主筋１２ａより下になる位置に穿孔されている。これにより、大地震発生時にコンクリート基礎１が壊れにくく、アンカーボルト２３が負担する上部構造からの引き抜き力及びせん断力に対抗できるようにアンカーボルトユニット２をコンクリート基礎１に固定できる。
【００３６】
２枚の基礎定着板２２がコンクリート基礎１のアンカーボルトが必要な部分１ａの両側面を覆った状態で、一方のボルト貫通孔２２ａ、コンクリート基礎１のボルト孔１ｃ、他方のボルト貫通孔２２ａに貫通ボルト５を通してナット６を締めて、アンカーボルトユニット２をコンクリート基礎１にボルト固定している。このように、アンカーボルトユニット２の２枚の基礎定着板２２をコンクリート基礎１の両側面に面着できるので、貫通ボルト５にて貫通固定しやすい。
【００３７】
貫通ボルト５又はナット６の受けに用いるワッシャー７には、グラウト材注入用孔７ａが穿孔されている。グラウト材注入用孔７ａから固定材であるグラウト材を注入して貫通ボルト５とボルト孔１ｃの間に充填することで、アンカーボルトユニット２とコンクリート基礎１は強固に固定される。
【００３８】
基礎定着板２２の形状は、台形が好ましい。下方の貫通ボルト５の数を多くでき、コンクリート基礎１にさらに強固に固定できる。
【００３９】
（施工方法）
次に、アンカーボルトユニット２をコンクリート基礎１に固定する施工方法について説明する。
【００４０】
図４（ａ）、図４（ｂ）に示すように、まず、コンクリート基礎１の上面のアンカーボルトが必要な部分１ａにアンカーボルト定着板２１を載せる凹部１ｂを形成する。凹部１ｂはアンカーボルト定着板２１の上面が既存のコンクリート基礎１の上面とフラットになる深さに形成する。
【００４１】
コンクリート基礎１の側面かつ、コンクリート基礎１の最上部の主筋１２ａより下になる位置にボルト孔１ｃを穿孔する。ボルト孔１ｃは、コンクリート基礎１の主筋１２ａを避けた位置かつ、基礎定着板２２のボルト貫通孔２２ａに合わせた位置に穿孔する。
【００４２】
図４（ｃ）に示すように、アンカーボルト定着板２１が凹部１ｂに載るようにアンカーボルトユニット２をコンクリート基礎１のアンカーボルトが必要な部分１ａに載置する。
【００４３】
図４（ｄ）に示すように、一方の基礎定着板２２のボルト貫通孔２２ａ、コンクリート基礎１のボルト孔１ｃ、他方の基礎定着板２２のボルト貫通孔２２ａに、貫通ボルト５を通してナット６を締めてアンカーボルトユニット２をコンクリート基礎１に固定する。ワッシャー７のグラウト材注入用孔７ａからボルト貫通孔２２ａと貫通ボルト５の間にグラウト材を充填し、グラウト材が固まることでアンカーボルトユニット２とコンクリート基礎１は強固に固定される。
【００４４】
（効果）
本実施形態によれば、新たなコンクリート基礎を作る必要が無く、また高度な技術を必要とするコンクリート基礎に竪穴を形成する工程の必要も無く、安価かつ簡易に施工が可能である。
【００４５】
また、廃棄物を減らして、資源を有効利用した改築等を行うことができる。また、上部構造（柱、土台や壁、筋交い等）の移動や新設が容易にでき、建物の間取りを容易に変更でき、建物の機能的耐久性を延長することができる。
【００４６】
[他の実施形態]
次に本発明に係る基礎構造、アンカーボルトユニット及び施工方法の他の実施形態について図を用いて説明する。図５は本実施形態に係る基礎構造の側面図である。上記第一実施形態と説明の重複する部分については、同一の符号を付して説明を省略する。
【００４７】
基礎定着板２２は、図１〜３では下方に向けて広がった台形形状となっているが、本発明はかかる形状に限定されるものではない。例えば、図５（ａ）に示すような長方形等であってもよい。
【００４８】
このように、基礎定着板２２の面積を増やすことで、基礎定着板２２をコンクリート基礎１へ固定するためのボルト数を増やすことができ、強固に固定できる。
【００４９】
図５（ｂ）に示すように、アンカーボルト定着板２１の長さを長くすることで、アンカーボルト定着板２１と基礎定着板２２の強度を上げることができ、大地震発生時に上部構造（柱脚３、柱４等）からの引き抜き力及びせん断力が加わった際に、アンカーボルト定着板２１が基礎定着板２２から引きちぎれることを防止できる。
【産業上の利用可能性】
【００５０】
建物の改築の際に、既存の基礎に新たな上部構造（柱、土台や壁、筋交い等）を設置する場合に利用可能である。
【図面の簡単な説明】
【００５１】
【図１】第一実施形態に係る基礎構造の斜視図である。
【図２】（ａ）基礎構造の正面図である（ｂ）基礎構造の断面図である。
【図３】アンカーボルトユニットの斜視図である。
【図４】施工方法の説明図である。
【図５】他の実施形態に係る基礎構造の正面図である。
【符号の説明】
【００５２】
Ａ    …基礎構造
１    …コンクリート基礎
１ａ  …部分
１ｂ  …凹部
１ｃ  …ボルト孔
２    …アンカーボルトユニット
３    …柱脚
４    …柱
５    …貫通ボルト
６    …ナット
７    …ワッシャー
７ａ  …グラウト材注入用孔
１１  …フーチング部
１２  …立上部
１２ａ …主筋
２１  …アンカーボルト定着板
２２  …基礎定着板
２２ａ …ボルト貫通孔
２３  …アンカーボルト
【図１】
2008063751.tif 000003
【図２】
2008063751.tif 000004
【図３】
2008063751.tif 000005
【図４】
2008063751.tif 000006
【図５】
2008063751.tif 000007